【手続補正書】
【提出日】平成17年9月5日(2005.9.5)
【手続補正１】
【補正対象書類名】明細書
【補正対象項目名】特許請求の範囲
【補正方法】変更
【補正の内容】
【特許請求の範囲】
【請求項１】  アプリケーションから入力される複数ページの描画データを用いて、印刷装置で印刷すべき印刷データを生成するプリンタドライバを備える情報処理装置であって、
Ｎページ（Ｎ＞１、Ｎは整数）の描画データを１枚の印刷用紙に印刷するためのＮページ印刷の指定を入力する入力手段と、
物理用紙をＮ等分した領域のそれぞれに対して中央に各ページの描画データを縮小配置する物理Ｎページ印刷配置手段と、
物理用紙に対する印刷可能領域をＮ等分した領域に対して各ページの描画データを縮小配置する印刷可能領域Ｎページ印刷配置手段と、
前記入力手段によりＮページ印刷の指定が入力される場合に、前記物理Ｎページ印刷配置手段と前記印刷可能領域Ｎページ印刷配置手段とのいずれを用いて配置処理するかを判定する判定手段と、
前記判定手段により判定された前記物理Ｎページ印刷配置手段もしくは前記印刷可能領域Ｎページ印刷配置手段を用いて縮小配置された印刷データを生成する生成手段と、
を有することを特徴とする情報処理装置。
【請求項２】  物理Ｎページ印刷条件を取得する条件取得手段を更に有し、
前記判定手段は、前記条件取得手段により取得される物理Ｎページ印刷条件に基づいて、前記物理Ｎページ印刷配置手段と前記印刷可能領域Ｎページ印刷配置手段とのいずれを用いて配置処理するかを判定することを特徴とする請求項１記載の情報処理装置。
【請求項３】  前記物理Ｎページ印刷条件は、複数のＮページ印刷の中でいずれのＮページ印刷を物理Ｎページ印刷をするかを示す情報であることを特徴とする請求項２記載の情報処理装置。
【請求項４】  前記物理Ｎページ印刷条件は、印刷された用紙をＮ枚に切り取ることを前提とする所定の出力用紙情報であり、前記判定手段は、当該所定の出力用紙情報が指定されている場合に物理Ｎページ印刷配置手段を用いることを決定することを特徴とする請求項２記載の情報処理装置。
【請求項５】  アプリケーションから入力される複数ページの描画データを用いて、印刷装置で印刷すべき印刷データを生成するプリンタドライバを備える情報処理装置における印刷制御方法であって、
Ｎページ（Ｎ＞１、Ｎは整数）の描画データを１枚の印刷用紙に印刷するためのＮページ印刷の指定を入力する入力工程と、
物理用紙をＮ等分した領域のそれぞれに対して中央に各ページの描画データを縮小配置する物理Ｎページ印刷配置工程と、
物理用紙に対する印刷可能領域をＮ等分した領域に対して各ページの描画データを縮小配置する印刷可能領域Ｎページ印刷配置工程と、
前記入力工程でＮページ印刷の指定が入力される場合に、前記物理Ｎページ印刷配置工程と前記印刷可能領域Ｎページ印刷配置工程とのいずれを用いて配置処理するかを判定する判定工程と、
前記判定工程で判定された前記物理Ｎページ印刷配置工程もしくは前記印刷可能領域Ｎページ印刷配置工程を用いて縮小配置された印刷データを生成する生成工程と、
を含むことを特徴とする印刷制御方法。
【請求項６】  物理Ｎページ印刷条件を取得する条件取得工程を更に含み、
前記判定工程は、前記条件取得工程で取得される物理Ｎページ印刷条件に基づいて、前記物理Ｎページ印刷配置工程と前記印刷可能領域Ｎページ印刷配置工程とのいずれを用いて配置処理するかを判定することを特徴とする請求項５記載の印刷制御方法。
【請求項７】  前記物理Ｎページ印刷条件は、複数のＮページ印刷の中でいずれのＮページ印刷を物理Ｎページ印刷をするかを示す情報であることを特徴とする請求項６記載の印刷制御方法。
【請求項８】  前記物理Ｎページ印刷条件は、印刷された用紙をＮ枚に切り取ることを前提とする所定の出力用紙情報であり、前記判定工程は、当該所定の出力用紙情報が指定されている場合に物理Ｎページ印刷配置工程を用いることを決定することを特徴とする請求項６記載の印刷制御方法。
【請求項９】  アプリケーションから入力される複数ページの描画データを用いて、印刷装置で印刷すべき印刷データを生成するための情報処理装置で読み取り実行される印刷制御プログラムを格納した記憶媒体であって、
Ｎページ（Ｎ＞１、Ｎは整数）の描画データを１枚の印刷用紙に印刷するためのＮページ印刷の指定を入力する入力工程と、
物理用紙をＮ等分した領域のそれぞれに対して中央に各ページの描画データを縮小配置する物理Ｎページ印刷配置工程と、
物理用紙に対する印刷可能領域をＮ等分した領域に対して各ページの描画データを縮小配置する印刷可能領域Ｎページ印刷配置工程と、
前記入力工程でＮページ印刷の指定が入力される場合に、前記物理Ｎページ印刷配置工程と前記印刷可能領域Ｎページ印刷配置工程とのいずれを用いて配置処理するかを判定する判定工程と、
前記判定工程で判定された前記物理Ｎページ印刷配置工程もしくは前記印刷可能領域Ｎページ印刷配置工程を用いて縮小配置された印刷データを生成する生成工程と、
を含むことを特徴とするコンピュータ読み取り可能な印刷制御プログラムを格納した記憶媒体。
【請求項１０】  前記印刷制御プログラムは、物理Ｎページ印刷条件を取得する条件取得工程を更に含み、
前記判定工程は、前記条件取得工程で取得される物理Ｎページ印刷条件に基づいて、前記物理Ｎページ印刷配置工程と前記印刷可能領域Ｎページ印刷配置工程とのいずれを用いて配置処理するかを判定することを特徴とする請求項９記載の記憶媒体。
【請求項１１】  前記物理Ｎページ印刷条件は、複数のＮページ印刷の中でいずれのＮページ印刷を物理Ｎページ印刷をするかを示す情報であることを特徴とする請求項１０記載の記憶媒体。
【請求項１２】  前記物理Ｎページ印刷条件は、印刷された用紙をＮ枚に切り取ることを前提とする所定の出力用紙情報であり、前記判定工程は、当該所定の出力用紙情報が指定されている場合に物理Ｎページ印刷配置工程を用いることを決定することを特徴とする請求項１０記載の記憶媒体。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】変更
【補正の内容】
【００１５】
【課題を解決するための手段】
上記目的を解決するため、本発明の情報処理装置は、アプリケーションから入力される複数ページの描画データを用いて、印刷装置で印刷すべき印刷データを生成するプリンタドライバを備える情報処理装置であって、Ｎページ（Ｎ＞１、Ｎは整数）の描画データを１枚の印刷用紙に印刷するためのＮページ印刷の指定を入力する入力手段と、物理用紙をＮ等分した領域のそれぞれに対して中央に各ページの描画データを縮小配置する物理Ｎページ印刷配置手段と、物理用紙に対する印刷可能領域をＮ等分した領域に対して各ページの描画データを縮小配置する印刷可能領域Ｎページ印刷配置手段と、前記入力手段によりＮページ印刷の指定が入力される場合に、前記物理Ｎページ印刷配置手段と前記印刷可能領域Ｎページ印刷配置手段とのいずれを用いて配置処理するかを判定する判定手段と、前記判定手段により判定された前記物理Ｎページ印刷配置手段もしくは前記印刷可能領域Ｎページ印刷配置手段を用いて縮小配置された印刷データを生成する生成手段と、を有するものである。
【手続補正８】
【補正対象書類名】明細書
【補正対象項目名】００１９
【補正方法】削除
【補正の内容】